【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
三次元領域をスキャンし、前記三次元領域の三次元ボリュームデータを取得するスキャナと、
心腔への血液流入経路に対応する第１の部位の三次元形状を生成し、
前記第１の部位は、第１の形状を用いて、前記三次元ボリュームデータから生成された複数の第１の断面画像における前記第１の部位の輪郭に基づいて近似され、
前記複数の第１の断面画像は、血液が流れる前記第１の部位の延在方向に沿って互いに交差する、
前記心腔からの血液流出経路に対応する第２の部位の三次元形状を生成し、
前記第２の部位は、前記第１の形状とは異なる第２の形状を用いて、前記三次元ボリュームデータから生成された少なくとも一つの第２の断面画像における前記第２の部位の輪郭に基づいて近似され、
前記少なくとも一つの第２の断面画像は、血液が流れる前記第２の部位の延在方向に沿って取得され、
生成された前記第１の部位の三次元形状および生成された前記第２の部位の三次元形状を用いることによって、前記第１の部位の三次元形状および前記第２の部位の三次元形状を含む前記心腔の三次元形状を生成し、
前記第１の部位の三次元形状および前記第２の部位の三次元形状を含む前記心腔の三次元形状を用いてレンダリング処理を実行し、前記第１の部位、前記第２の部位、および前記心腔を含む少なくとも心臓の一部を表す三次元画像を生成し、
ディスプレイを制御して前記三次元画像を表示する
処理回路と
を具備する、医用診断装置。
【請求項２】
前記処理回路は、
前記第１の部位の延在方向に沿って取得された少なくとも二つ以上の前記第１の断面画像を用いて前記第１の部位の心筋領域の少なくとも一部の輪郭線を設定し、
複数の第３断面のそれぞれにおいて前記輪郭線が通過するそれぞれの位置に基づいてそれぞれの第３断面上に楕円を設定することにより、前記第１の部位の延在方向に沿った軸に交わる前記複数の第３断面上に前記第１の部位の前記輪郭を近似し、
複数の前記楕円を補間することにより、前記第１の部位の前記三次元形状を取得する
請求項１に記載の医用診断装置。
【請求項３】
前記処理回路は、
前記第２の部位の延在方向に沿って取得された前記第２の断面画像を用いて前記第２の部位の心筋領域の少なくとも一部の輪郭線を設定し、
複数の第４断面のそれぞれにおいて前記輪郭線が通過するそれぞれの位置に基づいてそれぞれの第４断面上に円を設定することにより、前記第２の部位の延在方向に沿った軸に交わる前記複数の第４断面上に前記第２の部位の前記輪郭を近似し、
複数の前記円を補完することにより、前記第２の部位の前記三次元形状を取得する
請求項１または請求項２に記載の医用診断装置。
【請求項４】
前記処理回路は、予め準備された前記心腔に関する情報をさらに用いて、前記第１の部位および前記第２の部位を含む心室の三次元画像を生成する、
請求項１から請求項３までのいずれか一項に記載の医用診断装置。
【請求項５】
前記第２の部位の延在方向に沿った前記第２の断面画像は、前記第１の部位の延在方向に沿った前記複数の第１の断面画像のいずれかと同じ断面である、
請求項１から請求項４までのいずれか一項に記載の医用診断装置。
【請求項６】
前記処理回路は、
所定の時相における前記第１の部位の延在方向に沿った軸および前記第２の部位の延在方向に沿った軸を用いて、少なくとも他の時相のボリュームデータにおける前記第１の部位の延在方向に沿った軸および前記第２の延在方向に沿った軸を追跡し、
前記少なくとも他の時相のボリュームデータに対して、追跡された第１の部位の延在方向に沿った、前記ボリュームデータから生成された前記複数の第１の断面画像を用いて前記第１の部位を設定し、
設定された第１の部位の心筋領域の少なくとも一部の輪郭線に基づいて近似された、前記第１の部位の三次元形状を生成し、
前記少なくとも他の時相のボリュームデータに対して、追跡された第２の部位の延在方向に沿った、前記ボリュームデータから生成された前記少なくとも一つの第２の断面画像を用いて前記第２の部位を設定し、
設定された第２の部位の心筋領域の少なくとも一部の輪郭線に基づいて近似された、前記第２の部位の三次元形状を生成し、
前記少なくとも他の時相における前記第１の部位の前記三次元形状および前記第２の部位の前記三次元形状を用いて、前記第１の部位および前記第２の部位を含む前記心腔の三次元心筋形状を表す前記三次元画像を生成する、
請求項１から請求項５までのいずれか一項に記載の医用診断装置。
【請求項７】
前記心腔は右心室であり、
前記第１の部位は三突弁を含む管状構造物であり、
前記第２の部位は肺動脈弁を含む管状構造物である、
請求項１から請求項６までのいずれか一項に記載の医用診断装置。
【請求項８】
前記心腔は心室であり、
前記第１の部位は前記心室への血液流入経路に対応し、
前記第２の部位は前記心室からの血液流出経路に対応する、
請求項１から請求項６までのいずれか一項に記載の医用診断装置。
【請求項９】
前記心腔は心房であり、
前記第１の部位は前記心房からの血液流出経路に対応し、
前記第２の部位は前記心房への血液流入経路に対応する、
請求項１から請求項６までのいずれか一項に記載の医用診断装置。
【請求項１０】
第１の形状を用いて、少なくとも心臓の一部の三次元ボリュームデータから生成された複数の第１の断面画像における血液流入経路の輪郭に基づいて近似することによって、右心室への血液流入経路を表す三次元形状を生成し、
前記複数の第１の断面画像は、血液が流れる前記血液流入経路の延在方向に沿って互いに交差する、
前記第１の形状とは異なる第２の形状を用いて、前記三次元ボリュームデータから生成された少なくとも一つの第２の断面画像における血液流出経路の輪郭に基づいて近似することによって、前記右心室からの血液流出経路を表す三次元形状を生成し、
前記少なくとも一つの第２の断面画像は、血液が流れる前記血液流出経路の延在方向に沿って取得され、
前記血液流入経路を表す三次元形状および前記血液流出経路を表す三次元形状を用いてレンダリング処理を実行し、前記血液流入経路、前記血液流出経路、および前記右心室を含む前記少なくとも心臓の一部の三次元画像を生成し、
ディスプレイを制御して前記三次元画像を表示する、
処理回路
を具備する、医用診断装置。
【請求項１１】
心腔への血液流入経路に対応する第１の部位の三次元形状を生成し、
前記第１の部位は、第１の形状を用いて、少なくとも心臓の一部のボリュームデータから生成された複数の第１の断面画像のそれぞれにおける前記第１の部位の輪郭に基づいて近似され、
前記第１の断面画像は、血液が流れる前記第１の部位の延在方向に沿って互いに交差する、
前記心腔からの血液流出経路に対応する第２の部位の三次元形状を生成し、
前記第２の部位は、前記第１の形状とは異なる第２の形状を用いて、少なくとも前記心臓の一部のボリュームデータから生成された少なくとも一つの第２の断面画像における前記第２の部位の輪郭に基づいて近似され、
前記少なくとも一つの第２の断面画像は、血液が流れる前記第２の部位の延在方向に沿って取得され、
生成された前記第１の部位の三次元形状および生成された前記第２の部位の三次元形状を用いることによって、前記第１の部位の三次元形状および前記第２の部位の三次元形状を含む前記心腔の三次元形状を生成し、
前記第１の部位の三次元形状および前記第２の部位の三次元形状を含む前記心腔の三次元形状を用いてレンダリング処理を実行し、前記第１の部位、前記第２の部位、および前記心腔を含む少なくとも心臓の一部を表す三次元画像を生成し、
ディスプレイを制御して前記三次元画像を表示する
処理回路
を具備する、医用画像処理装置。
【請求項１２】
第１の形状を用いて、少なくとも心臓の一部の三次元ボリュームデータから生成された複数の第１の断面画像における血液流入経路の輪郭に基づいて近似することによって、右心室への血液流入経路を表す三次元形状を生成し、
前記複数の第１の断面画像は、血液が流れる前記血液流入経路の延在方向に沿って互いに交差する、
前記第１の形状とは異なる第２の形状を用いて、前記三次元ボリュームデータから生成された少なくとも一つの第２の断面画像における血液流出経路の輪郭に基づいて近似することによって、前記右心室からの血液流出経路を表す三次元形状を生成し、
前記少なくとも一つの第２の断面画像は、血液が流れる前記血液流出経路の延在方向に沿って取得され、
前記血液流入経路を表す三次元形状および前記血液流出経路を表す三次元形状を用いてレンダリング処理を実行し、前記血液流入経路、前記血液流出経路、および前記右心室を含む前記少なくとも心臓の一部の三次元画像を生成し、
ディスプレイを制御して前記三次元画像を表示する、
処理回路
を具備する、医用画像処理装置。
【請求項１３】
心腔への血液流入経路に対応する第１の部位の三次元形状を生成することと、
前記第１の部位は、第１の形状を用いて、少なくとも心臓の一部のボリュームデータから生成された複数の第１の断面画像における前記第１の部位の輪郭に基づいて近似され、
前記第１の断面画像は、血液が流れる前記第１の部位の延在方向に沿って互いに交差し、
前記断面画像は、三次元領域に関し、
前記心腔からの血液流出経路に対応する第２の部位の三次元形状を生成することと、
前記第２の部位は、前記第１の形状とは異なる第２の形状を用いて、少なくとも前記心臓の一部のボリュームデータから生成された少なくとも一つの第２の断面画像における前記第２の部位の輪郭に基づいて推定され、
前記少なくとも一つの第２の断面画像は、血液が流れる前記第２の部位の延在方向に沿って取得され、
生成された前記第１の部位の三次元形状および生成された前記第２の部位の三次元形状を用いることによって、前記第１の部位の三次元形状および前記第２の部位の三次元形状を含む前記心腔の三次元形状を生成することと、
前記第１の部位の三次元形状および前記第２の部位の三次元形状を含む前記心腔の三次元形状を用いてレンダリング処理を実行し、前記第１の部位、前記第２の部位、および前記心腔を含む少なくとも心臓の一部を表す三次元画像を生成することと、
ディスプレイを制御して前記三次元画像を表示することと
を具備する、医用画像処理方法。
【請求項１４】
前記少なくとも一つの第２の断面画像の数は、前記複数の第１の断面画像の数よりも少ない、
請求項１から請求項９までのいずれか一項に記載の医用診断装置。
【請求項１５】
前記少なくとも一つの第２の断面画像の数は、前記複数の第１の断面画像の数よりも少ない、
請求項１０に記載の医用診断装置。
【請求項１６】
前記少なくとも一つの第２の断面画像の数は、前記複数の第１の断面画像の数よりも少ない、
請求項１１に記載の医用画像処理装置。
【請求項１７】
前記少なくとも一つの第２の断面画像の数は、前記複数の第１の断面画像の数よりも少ない、
請求項１２に記載の医用画像処理装置。
【請求項１８】
前記少なくとも一つの第２の断面画像の数は、前記複数の第１の断面画像の数よりも少ない、
請求項１３に記載の医用画像処理方法。
【請求項１９】
前記第１の形状は楕円形であり、前記第２の形状は円形である、
請求項１から請求項９までのいずれか一項、または請求項１４に記載の医用診断装置。
【請求項２０】
前記処理回路は、前記第１の部位の輪郭および前記第２の部位の輪郭に対応する、ユーザからの入力を受信する、
請求項７に記載の医用診断装置。
【請求項２１】
前記第１の形状は楕円形であり、前記第２の形状は円形である、
請求項１０または請求項１５に記載の医用診断装置。
【請求項２２】
前記第１の形状は楕円形であり、前記第２の形状は円形である、
請求項１１または請求項１６に記載の医用画像処理装置。
【請求項２３】
前記第１の形状は楕円形であり、前記第２の形状は円形である、
請求項１２または請求項１７に記載の医用画像処理装置。
【請求項２４】
前記第１の形状は楕円形であり、前記第２の形状は円形である、
請求項１３または請求項１８に記載の医用画像処理方法。
【手続補正２】
【補正対象書類名】明細書
【補正対象項目名】発明の名称
【補正方法】変更
【補正の内容】
【発明の名称】医用診断装置、医用画像処理装置及び医用画像処理方法
【手続補正３】
【補正対象書類名】明細書
【補正対象項目名】０００１
【補正方法】変更
【補正の内容】
【０００１】
本実施形態は、超音波画像を用いて心筋（心臓を構成する筋肉）等の組織の局所的な運動情報を出力することで医学診断に有効な情報を提供する医用診断装置、医用画像処理装置及び医用画像処理方法に関する。
【手続補正４】
【補正対象書類名】明細書
【補正対象項目名】０００７
【補正方法】変更
【補正の内容】
【０００７】
上記事情に鑑み、目的は、解析や診断に要する時間を削減するとともに解析や診断の精度を向上させることが可能な医用診断装置、医用画像処理装置及び医用画像処理方法を提供することである。